(57)【要約】【課題】有料道路の通行料金以外の料金についても決済することができるＥＴＣ装置を提供する。【解決手段】駐車場の入出口ゲートに設けられた駐車場料金処理機との間で無線通信により利用者番号、カードＩＤ番号、その他の駐車場料金関連データを送受信し、有料道路の料金関連データに加えて当該駐車場の料金関連データにも対応させてＥＴＣカードの利用履歴データを更新する。【選択図】図１
2011034427.tif 000002
【特許請求の範囲】
【請求項１】
無線通信機能を有する無線通信部と、
前記無線通信部をして有料道路の入出口ゲートに設けられた道路料金処理機との間で少なくとも道路料金関連データを送受信せしめる道路関連データ処理部と、
ＩＣカードを収容するＩＣカード収容部と、
受信した前記道路料金関連データに基づいて前記ＩＣカードのメモリに記憶されている利用履歴データを更新する履歴更新部と、を含むＥＴＣ装置であって、
前記無線通信部をして有料駐車場の入出口ゲートに設けられた駐車場料金処理機との間で少なくとも駐車場料金関連データを送受信せしめる駐車場関連データ処理部を更に含み、
前記履歴更新部は、更に前記駐車場料金関連データに基づいて前記利用履歴データを更新することを特徴とするＥＴＣ装置。
【請求項２】
前記駐車場関連データ処理部は、前記無線通信部をして前記ＩＣカードのカード識別子を前記駐車場料金処理機へ送信せしめることを特徴とする請求項１に記載のＥＴＣ装置。
【請求項３】
前記無線通信部をして前記駐車場料金処理機との間で前記駐車場料金関連データに付随する付随データを送受信せしめる付随データ処理部を更に含み、
前記履歴更新部は、前記駐車場料金関連データに加えて前記付随データに基づいて前記利用履歴データを更新することを特徴とする請求項１又は２に記載のＥＴＣ装置。
【請求項４】
少なくとも前記利用履歴データに含まれる利用料金を表示する表示部を更に含むことを特徴とする請求項１乃至３のいずれか１に記載のＥＴＣ装置。
【請求項５】
前記利用料金の表示指示を受け入れる入力部を更に含み、
前記表示部は、前記表示指示に応じて前記利用料金を表示することを特徴とする請求項４に記載のＥＴＣ装置。
【請求項６】
駐車時間と駐車場料金とを対応付けた駐車場料金対応テーブルと、
前記有料駐車場に入る際に前記駐車場料金処理機から取得した入口ゲート通過時刻と当該有料駐車場から出る際に前記駐車場料金処理機から取得した出口ゲート接近時刻とに基づいて駐車時間を算出し、前記駐車場料金対応テーブルにおいて当該算出した駐車時間に対応する駐車場料金を当該有料駐車場の利用料金とする料金計算部を更に含むことを特徴とする請求項１に記載のＥＴＣ装置。
【請求項７】
時計と、
駐車時間と駐車場料金とを対応付けた駐車場料金対応テーブルと、
前記有料駐車場に入る際に前記時計を参照して得られた入口ゲート通過時刻と当該有料駐車場から出る際に前記時計を参照して得られた出口ゲート接近時刻とに基づいて駐車時間を算出し、前記駐車場料金対応テーブルにおいて当該算出した駐車時間に対応する駐車場料金を当該有料駐車場の利用料金とする料金計算部を更に含むことを特徴とする請求項１に記載のＥＴＣ装置。
【請求項８】
前記無線通信部をしてガソリンスタンドの入出口ゲートに設けられたガソリン料金処理機との間で少なくともガソリン料金関連データを送受信せしめるガソリン関連データ処理部を更に含み、
前記履歴更新部は、更に前記ガソリン料金関連データに基づいて前記利用履歴データを更新することを特徴とする請求項１に記載のＥＴＣ装置。
【請求項９】
前記無線通信部をしてドライブスルーの入出口ゲートに設けられた商品購入料金処理機との間で少なくとも商品購入料金関連データを送受信せしめるドライブスルー関連データ処理部を更に含み、
前記履歴更新部は、更に前記商品購入料金関連データに基づいて前記利用履歴データを更新することを特徴とする請求項１に記載のＥＴＣ装置。
【請求項１０】
前記無線通信部をして前記利用履歴データを通信端末へ送信せしめる利用履歴通知部を更に含むことを特徴とする請求項１に記載のＥＴＣ装置。
【請求項１１】
前記無線通信部をして前記道路料金処理機との間で前記道路料金関連データに付随する付随データを送受信せしめる付随データ処理部を更に含み、
前記履歴更新部は、前記道路料金関連データに加えて前記付随データに基づいて前記利用履歴データを更新することを特徴とする請求項１又は２に記載のＥＴＣ装置。
【発明の詳細な説明】
【技術分野】
【０００１】
本発明は、高速道路などの有料道路における自動料金収受のためのいわゆるＥＴＣ装置に関する。特に、有料道路以外の料金徴収にも使用できるようにしたＥＴＣ装置に関する。
【背景技術】
【０００２】
例えば高速道路などの有料道路における通行料金を自動的に収受するためのいわゆるＥＴＣ(Electronic Toll Collection System)装置が実用化されている。ＥＴＣ装置を搭載した車両が有料道路の入出口ゲートを通過する際には、ＥＴＣ装置に備えられた無線通信機能により、ゲート付近に設けられた料金処理機との間で例えば料金所番号などの料金収受に必要な情報を交換する。それ故、運転手が車両を停止させてゲート付近に設けられた発券機から通行券や領収書を受け取るなどの手間を省くことができ、車両がゲートをスムーズに通過できるのでゲート付近の混雑も解消できる。例えば特許文献１及び２にはこのようなＥＴＣ装置を用いた料金収受システムが開示されている。
【先行技術文献】
【特許文献】
【０００３】
【特許文献１】特開平１１−２８８４７１号公報
【特許文献２】特開２００９−２６３４３号公報
【発明の概要】
【発明が解決しようとする課題】
【０００４】
上記したように従来のＥＴＣ装置は、有料道路における通行料金の収受に利用される装置である。しかしながら、ＥＴＣ装置を搭載した車両は、高速道路などの有料道路を走行するだけでなく、例えば有料道路から一般道路へ乗り換えた後に有料駐車場へ乗り入れる場合もある。有料駐車場を利用する場合、ユーザーは入口ゲート付近に設けられた発券機から駐車券を取得する必要があり、また、出口ゲート付近に設けられた料金処理機へ駐車時間に応じた利用料金を現金で投入する必要があった。このように、有料道路利用料金の決済はＥＴＣ装置により自動でなされるものの、駐車場利用料金は現金で支払わなければならず、ユーザーにとっては不便であった。
【０００５】
本発明は上記した如き問題点に鑑みてなされたものであって、有料道路の通行料金以外の料金についても自動決済できるようにしたＥＴＣ装置を提供することを目的とする。
【課題を解決するための手段】
【０００６】
本発明によるＥＴＣ装置は、無線通信機能を有する無線通信部と、前記無線通信部をして有料道路の入出口ゲートに設けられた道路料金処理機との間で少なくとも道路料金関連データを送受信せしめる道路関連データ処理部と、ＩＣカードを収容するＩＣカード収容部と、受信した前記道路料金関連データに基づいて前記ＩＣカードのメモリに記憶されている利用履歴データを更新する履歴更新部と、を含むＥＴＣ装置であって、前記無線通信部をして有料駐車場の入出口ゲートに設けられた駐車場料金処理機との間で少なくとも駐車場料金関連データを送受信せしめる駐車場関連データ処理部を更に含み、前記履歴更新部は、更に前記駐車場料金関連データに基づいて前記利用履歴データを更新することを特徴とする。
【発明の効果】
【０００７】
本発明によるＥＴＣ装置によれば、有料道路の通行料金以外の料金についても自動決済することができる。
【図面の簡単な説明】
【０００８】
【図１】第１の実施例によるＥＴＣ装置の構成を表すブロック図である。
【図２】ＥＴＣ装置の概略斜視図である。
【図３】ＩＣカードの構成を表すブロック図である。
【図４】ＥＴＣ装置を搭載した車両を入口駐車場料金処理機と共に表す概略構成図である。
【図５】入口駐車場料金処理機の構成を表すブロック図である。
【図６】駐車場入口ゲート通過時の処理フローを表すフローチャートである。
【図７】ＥＴＣ装置を搭載した車両を出口駐車場料金処理機と共に表す概略構成図である。
【図８】出口駐車場料金処理機の構成を表すブロック図である。
【図９】駐車場出口ゲート通過時の処理フローを表すフローチャートである。
【図１０】利用履歴テーブルの一例を表す図である。
【図１１】表示部における利用履歴の表示例を表す図である。
【図１２】第２の実施例によるＥＴＣ装置の構成を表すブロック図である。
【図１３】ＥＴＣ装置を搭載した車両を給油機と共に表す概略構成図である。
【図１４】給油機の構成を表すブロック図である。
【図１５】ガソリンスタンドでの給油時の処理フローを表すフローチャートである。
【図１６】利用履歴テーブルの一例を表す図である。
【図１７】第３の実施例によるＥＴＣ装置の構成を表すブロック図である。
【図１８】駐車場料金対応テーブルの一例を表す図である。
【図１９】駐車場料金決定フローを表すフローチャートである。
【発明を実施するための形態】
【０００９】
以下、本発明に係る実施例について添付の図面を参照しつつ詳細に説明する。
【００１０】
＜第１の実施例＞
先ず、図１及び図２を参照する。ＥＴＣ装置１００は例えば自動車などの車両に搭載され、有料道路の利用料金の自動収受に加えて駐車場の利用料金の自動収受を可能とするための処理を行う。ＥＴＣ装置１００は、無線通信部１１０と、記憶部１２０と、ＩＣカード収容部１３０と、表示部１４０と、入力部１５０と、制御部１６０とを含む。
【００１１】
無線通信部１１０は、ＥＴＣ装置１００を搭載した車両が有料道路又は駐車場の入出口ゲートを通過する際に、その入出口ゲートに設けられた道路料金処理機又は駐車場料金処理機との間で、有料道路料金に関連するデータ（以下、道路料金関連データと称する）又は駐車場料金に関連するデータ（以下、駐車場料金関連データと称する）を無線通信機能によりアンテナ１１１を介して送受信する。
【００１２】
道路料金関連データには例えば暗号化された車両情報、料金所番号（料金所識別情報）、通過年月日及び時刻、有料道路料金が含まれる。車両情報には、車載器管理番号、車両番号、車種についての情報が含まれる。例えばＥＴＣ装置１００の購入時にＥＴＣ装置１００のセットアップ業者がＥＴＣに関する管理・運営団体から暗号化された車両情報を取得してＥＴＣ装置１００の記憶部１２０に記憶する。
【００１３】
駐車場料金関連データには例えば利用者番号、駐車場番号（駐車場識別情報）、通過年月日及び時刻、駐車場料金が含まれる。ここで、利用者番号は以下のような番号である。例えば駐車場を運営する業者がＥＴＣ装置の所有者を対象に駐車場利用登録会員を新たに募っている。駐車場を利用したいユーザーは、自身の所有するＥＴＣ装置１００の車載器管理番号を駐車場運営業者へ通知する。駐車場運営業者は、その車載器管理番号をＥＴＣに関する管理・運営団体に照会する。管理・運営団体は、当該車載器管理番号に対応する番号を利用車番号として駐車場運営業者へ通知する。利用車番号はセキュリティの関係上、例えば車載器管理番号を変換して得られた番号であり、車載器管理番号とは異なる番号である。駐車場運営業者は、利用車番号と例えば駐車場料金支払い用のクレジットカードなどを含む登録会員情報とを登録会員毎に対応付けて登録者データベースに事前登録する。
【００１４】
その他、無線通信部１１０は、ＥＴＣ装置１００に収容されているＩＣカード２００を特定するためのそのカードに固有のカード識別子（以下、カードＩＤ番号と称する）、駐車場の利用時間に応じて設定された割引料金などを表す付随データなどの情報についても、道路料金処理機又は駐車場料金処理機との間で送受信する。
【００１５】
記憶部１２０は、無線通信部１１０によって受信された道路料金関連データや駐車場料金関連データ、ＩＣカード収容部１３０に挿入されたＩＣカード２００のメモリ内に記憶されているカードＩＤ番号を記憶し、また、有料道路及び駐車場の利用料金の履歴を利用履歴テーブルとして記憶する例えばＲＡＭやハードディスクなどの読み書き自在なメモリである。
【００１６】
ＩＣカード収容部１３０は、カード挿入口１３１から挿入されたＩＣカード２００を収容する機構である。ＩＣカード２００は、図３に示される如く例えばフラッシュメモリなどのメモリ２１０と、メモリ２１０から読み出されたデータ又はメモリ２１０へ記憶すべきデータを入出力するためのインターフェース部２２０とを備えたいわゆるＥＴＣカードである。インターフェース部２２０はＩＣカード収容部１３０に設けられた図示せぬインターフェースに接続され、そのインターフェースを介してメモリ２１０からのデータの読み出し又はメモリ２１０へのデータの書き込みがなされる。メモリ２１０にはカードＩＤ番号、利用履歴テーブルが記憶される。ＩＣカード２００は、ＥＴＣの利用のための機能と通常のクレジットカードとしての機能とが一体となったいわゆるクレジットカード一体型のＥＴＣカードであっても良いし、ＥＴＣの利用のための機能のみを有するいわゆる分離型のＥＴＣカードであっても良い。
【００１７】
表示部１４０は、記憶部１２０に記憶されている利用履歴テーブル又はＩＣカード収容部１３０に挿入されているＩＣカード２００のメモリ２１０に記憶されている利用履歴テーブルに表される情報（以下、利用履歴情報と称する）を、入力部１５０又は制御部１６０からの表示指示に応じて表示する例えばＬＣＤなどのディスプレイである。利用履歴情報は、例えば駐車場への入出場日時、駐車場利用時間、駐車場料金、有料道路及び駐車場の総合利用料金である。表示部１４０は、例えばＥＴＣ装置１００の側面部に設けられている。
【００１８】
入力部１５０は、ＥＴＣ装置１００のユーザーからの利用履歴情報の表示指示やカードによる支払い確認応答を受け入れる例えばプッシュボタンなどの入力機構であり、ＥＴＣ装置１００の例えば側面部に設けられている。
【００１９】
制御部１６０は、道路関連データ処理部１６１と、駐車場関連データ処理部１６２と、付随データ処理部１６３と、料金計算部１６４と、履歴更新部１６５と、利用履歴通知部１６６と、を含み、ＥＴＣ装置１００の全体を制御する例えばＣＰＵなどのマイクロプロセッサである。
【００２０】
道路関連データ処理部１６１は、車両が有料道路の料金所に設けられた入出口ゲートを通過する際に、その入出口ゲートに設けられた道路料金処理機との間で送受信すべき道路料金関連データやカードＩＤ番号などの情報についての処理を行う。道路関連データ処理部１６１は、例えば道路料金処理機からの道路料金関連データを記憶部１２０に記憶させる処理、記憶部１２０に記憶されている車両情報その他の道路料金関連データやカードＩＤ番号を無線通信部１１０をして道路料金処理機へ送信せしめる処理、道路料金処理機から発せられた信号の信号種別及びその正当性を判別する処理などの道路料金の収受に関する処理を行う。
【００２１】
駐車場関連データ処理部１６２は、車両が駐車場の料金所に設けられた入出口ゲートを通過する際に、当該入出口ゲートに設けられた駐車場料金処理機との間で送受信すべき駐車場料金関連データやカードＩＤ番号などの情報についての処理を行う。駐車場関連データ処理部１６２は、例えば駐車場料金処理機からの駐車場料金関連データを記憶部１２０に記憶させる処理、記憶部１２０に記憶されている車両情報その他の駐車場料金関連データやカードＩＤ番号を無線通信部１１０をして駐車場料金処理機へ送信せしめる処理、駐車場料金処理機から発せられた信号の信号種別及びその正当性を判別する処理などの駐車場料金の収受に関する処理を行う。
【００２２】
付随データ処理部１６３は、例えば車両が駐車場の料金所に設けられた入出口ゲートを通過する際に、その入出口ゲートに設けられた駐車場料金処理機との間で送受信すべき付随データについての処理を行う。付随データ処理部１６３は、例えば駐車場料金処理機からの付随データを記憶部１２０に記憶させる処理、記憶部１２０又はＩＣカード２００のメモリ２１０に記憶されている例えば買い物の日時や金額を無線通信部１１０をして駐車場料金処理機へ送信せしめる処理などの駐車場料金に関する付随情報についての処理を行う。
【００２３】
更に、付随データ処理部１６３は、車両が有料道路の料金所に設けられた入出口ゲートを通過する際に、その入出口ゲートに設けられた道路料金処理機との間で送受信すべき付随データについての処理を行うようにしても良い。この場合、付随データ処理部１６３は、例えば道路料金処理機からの例えば曜日や時間帯に応じた割引料金などの付随データを記憶部１２０に記憶させる処理、記憶部１２０に記憶されている付随データを無線通信部１１０をして道路料金処理機へ送信せしめる処理などの道路料金に関する付随情報についての処理を行う。
【００２４】
料金計算部１６４は、例えばユーザーによって入力部１５０に入力された算出指示に応じて、記憶部１２０に記憶されている利用履歴テーブルを参照し、その利用履歴情報に基づいて駐車場の総合利用料金を算出する。なお、料金計算部１６４は、駐車場道路の料金所に設けられた出口ゲートを通過した際に駐車場関連データ処理部１６２が発した算出指示に応じて総合利用料金を算出するようにしても良い。
【００２５】
料金計算部１６４は、例えば当該算出指示に応じて、利用履歴テーブルに利用履歴情報として記憶されている駐車場料金のうちの最新の駐車場料金から、当該駐車場料金に対応する付随データである割引料金を減算して総合利用料金を算出する。総合利用料金は利用履歴データの一部として記憶部１２０に記憶される。
【００２６】
履歴更新部１６５は、料金計算部１６４によって算出された総合利用料金の通知に応じて又はユーザーによって入力部１５０に入力された更新指示に応じて、ＩＣカード収容部１３０に挿入されているＩＣカード２００のメモリ２１０に記憶されている利用履歴テーブルの利用履歴情報を、記憶部１２０に一時的に記憶されている道路料金関連データ、駐車場料金関連データ、付随データ及び総合利用料金に対応させて更新する。
【００２７】
利用履歴通知部１６６は、記憶部１２０に記憶されている利用履歴データ又は最新の利用料金を、無線通信部１１０をして例えば携帯電話端末などの通信端末へ送信せしめるものである。利用履歴通知部１６６は、例えば通信端末からの通知要求に応じて、又は定期的に、又は有料道路や駐車場に設けられた料金処理機からの料金情報の受信に応じて、利用履歴データ又は最新の利用料金を通信端末へ通知する。
【００２８】
車両は、高速道路などの有料道路を走行するだけでなく、有料道路から無料の一般道路へ乗り換え、更に例えばデパートなどに設けられた有料駐車場を利用することもあり得る。その際、ＥＴＣ装置１００は上記した如き処理を行う。
【００２９】
車両が有料道路を利用する場合には以下のような処理を実行する。先ず、車両は一般道路から有料道路へ入る際に、有料道路の入口料金所に設けられた入口ゲートを通過する。その際、道路関連データ処理部１６１は、入口ゲートに設けられた道路料金処理機から発せられた問合せ信号を無線通信部１１０を介して受信し、その問合せ信号が正当なものであると判別した場合に、暗号化された車両情報、カードＩＤ番号をその道路料金処理機へ返信する。そして、道路関連データ処理部１６１は、当該返信に応じた道路料金処理機から発せられた例えば料金所番号や入口ゲートの通過年月日及び時刻などの道路料金関連データを無線通信部１１０を介して受信しそれらを記憶部１２０に記憶させる。
【００３０】
車両が有料道路から出て一般道路へ乗り換える場合には先ず、出口料金所に設けられた出口ゲートを通過する。その際、道路関連データ処理部１６１は、出口ゲートに設けられた道路料金処理機から発せられた問合せ信号を無線通信部１１０を介して受信し、その問合せ信号が正当なものであると判別した場合に、暗号化された車両情報、カードＩＤ番号、入口ゲート通過時に取得した料金所番号、入口ゲートの通過年月日及び時刻などの道路料金関連データをその道路料金処理機へ返信する。
【００３１】
そして、当該返信に応じた道路料金処理機から発せられた例えば有料道路料金、出口ゲートの通過年月日及び時刻などの道路料金関連データを無線通信部１１０を介して受信しそれらを記憶部１２０に記憶させる。また、道路料金処理機から発せられた例えば曜日、時間帯に応じた割引料金や、路外パーキングサービスにおける再乗り無料料金などの付随データを無線通信部１１０を介して受信しそれらを記憶部１２０に記憶させるようにしても良い。更に履歴更新部１６５は、ＩＣカード収容部１３０に挿入されているＩＣカード２００のメモリ２１０に記憶されている利用履歴データを、道路料金関連データに対応させて更新する。なお、ＩＣカード２００は、入出口ゲート通過時にはＩＣカード収容部１３０に収容されている。
【００３２】
続いて、車両が一般道路へ乗り換えた後に例えばデパートに設けられた駐車場を利用する場合の処理について以下に説明する。図４は、ＥＴＣ装置１００を搭載した車両５００を入口駐車場料金処理機３００と共に表す概略構成図である。図５は、入口駐車場料金処理機３００の構成を表すブロック図である。図６は、駐車場入口ゲート通過時の処理フローを表すフローチャートである。
【００３３】
入口駐車場料金処理機３００は、情報送受信部３１０と、信号判別部３２０と、駐車場料金関連情報生成部３３０と、ゲート３４０と、登録者データベース３５０とを含み、駐車場入口ゲートに設けられ、ＥＴＣ装置１００との間で駐車場料金関連データを送受信する装置である。以下、図４〜６を参照しつつ、車両が駐車場入口ゲートを通過する際の処理について説明する。駐車場を利用する際にも、利用者はＩＣカード２００をＩＣカード収容部１３０に予め挿入しておく。
【００３４】
車両が駐車場入口のゲート３４０に近づくと、情報送受信部３１０から問合せ信号が発せられる。ＥＴＣ装置１００の無線通信部１１０は、その問合せ信号を受信する（ステップＳ１０１）。駐車場関連データ処理部１６２は、無線通信部１１０によって受信されたその問合せ信号が正当なものであるか否かを判別し（ステップＳ１０２）、正当であると判別した場合には、記憶部１２０に記憶されている利用者番号及びカードＩＤ番号の少なくともいずれかを無線通信部１１０から情報送受信部３１０へ送信する（ステップＳ１０３）。  入口駐車場料金処理機３００の信号判別部３２０は、情報送受信部３１０によって受信された利用者番号が、登録者データベース３５０に予め記憶されている利用者番号一覧のうちの１つに一致した場合に、その車両が正当な登録利用車両であると判別する。なお、信号判別部３２０は、情報送受信部３１０によって受信されたカードＩＤ番号が、登録者データベース３５０に予め記憶されているカードＩＤ番号一覧のうちの１つに一致した場合に、その車両が正当な登録利用車両であると判別するようにしても良い。また、登録者データベース３５０は、必要に応じて入口駐車場料金処理機３００に含まず別途に一括管理しても良い。
【００３５】
この場合、信号判別部３２０は、ゲート３４０へゲート開放指示を発するとともに、駐車場料金関連情報生成部３３０へ駐車場料金関連データの送信指示を発する。これに応じてゲート３４０が開かれる。また、駐車場料金関連情報生成部３３０は、駐車場番号や入口ゲートの通過年月日及び時刻などの駐車場料金関連データを生成し、これを情報送受信部３１０からＥＴＣ装置１００へ送信する。
【００３６】
ＥＴＣ装置１００の駐車場関連データ処理部１６２は、無線通信部１１０によって受信された駐車場料金関連データを記憶部１２０に記憶させる（ステップＳ１０４）。車両はゲート３４０を通過し、駐車場に停車する。その後、ユーザーは例えばデパート等で買い物をする。ＩＣカード２００がクレジットカード一体型ＩＣカードである場合には、ユーザーはＥＴＣ装置１００からＩＣカード２００を抜き取り、そのクレジットカード機能により買い物をする。この場合、ＩＣカード２００内のメモリ２１０には買い物をした日時や金額が記憶される。車両は例えば１時間３０分の期間だけ駐車場に停車し、その後、駐車場を去るために駐車場出口ゲートへ向かう。
【００３７】
図７は、ＥＴＣ装置１００を搭載した車両５００を出口駐車場料金処理機４００と共に表す概略構成図である。図８は、出口駐車場料金処理機４００の構成を表すブロック図である。図９は、駐車場出口ゲート通過時の処理フローを表すフローチャートである。
【００３８】
出口駐車場料金処理機４００は、情報送受信部４１０と、信号判別部４２０と、付随データ生成部４３０と、駐車場料金計算部４４０と、ゲート４５０と、登録者データベース４６０とを含み、駐車場出口ゲートに設けられ、ＥＴＣ装置１００との間で駐車場料金関連データを送受信する装置である。以下、図７〜９を参照しつつ、車両が駐車場出口ゲートを通過する際の処理について説明する。
【００３９】
車両が駐車場出口のゲート４５０に近づくと、情報送受信部４１０から問合せ信号が発せられる。ＥＴＣ装置１００の無線通信部１１０は、その問合せ信号を受信する（ステップＳ２０１）。駐車場関連データ処理部１６２は、無線通信部１１０によって受信されたその問合せ信号が正当なものであるか否かを判別し（ステップＳ２０２）、正当であると判別した場合には、記憶部１２０に記憶されている利用者番号、駐車場番号、入口ゲートの通過年月日及び時刻などを含む駐車場料金関連データを無線通信部１１０から情報送受信部４１０へ送信する（ステップＳ２０３）。なお、駐車場関連データ処理部１６２は、利用者番号に代えてカードＩＣ番号を送信しても良いし、これらを併せて送信しても良い。また、カードによる支払い意思の確認のために、例えばＥＴＣ装置１００の側面に設けられた入力部１５０の確認ボタンがユーザーによって押された場合にのみ、これらの情報を送信するようにしても良い。
【００４０】
この際、ＥＴＣ装置１００に挿入されているＩＣカード２００がクレジットカード一体型ＩＣカードである場合、付随データ処理部１６３は、ＩＣカード２００内のメモリ２１０に記憶されている買い物の日時及び金額についても無線通信部１１０から情報送受信部４１０へ送信する。
【００４１】
出口駐車場料金処理機４００の信号判別部４２０は、情報送受信部４１０によって受信された利用者番号が、登録者データベース４６０に予め記憶されている利用者番号一覧のうちの１つに一致した場合に、その車両が正当な登録利用車両であると判別する。なお、信号判別部４２０は、情報送受信部４１０によって受信されたカードＩＤ番号が、登録者データベース４６０に予め記憶されているカードＩＤ番号一覧のうちの１つに一致した場合に、その車両が正当な登録利用車両であると判別するようにしても良い。この場合、信号判別部４２０は、付随データ生成部４３０へ付随データの生成指示を、駐車場料金計算部４４０へ駐車場料金の算出指示を、ゲート４５０へゲート開放指示を、それぞれ発する。なお、登録者データベース４６０は、必要に応じて出口駐車場料金処理機４００に含まず別途に一括管理しても良い。
【００４２】
これに応じた付随データ生成部４３０は、例えば利用者番号、カードＩＤ番号、駐車時間、買い物の日時及び金額に応じた割引料金などの付随データを生成する。登録者データベース４６０は、例えば予め利用者番号又はカードＩＤ番号とその所有者が「お得意様」又は「決済不要顧客」であるか否かを示す識別子とを対応付けて記憶しており、付随データ生成部４３０は、ゲート４５０通過時にＥＴＣ装置１００から取得した利用者番号又はカードＩＤ番号からその車両の利用者が「お得意様」に該当すると判別した場合に、駐車料金を例えば５００円を割り引くべき旨の付随データを生成する。また、付随データ生成部４３０は、例えば車両の利用者が「お得意様」に該当し且つ駐車時間が２時間以内であった場合に５００円を割り引くべき旨の付随データを生成するようにしても良い。また、付随データ生成部４３０は、利用者番号又はカードＩＤ番号が、例えば自社社員、特別な固定客、機密車両の運転手などの「決済不要顧客」に該当すると判別した場合には、買い物金額や駐車時間にかかわらず駐車場料金の全額を割り引くべき旨の付随データを生成する。
【００４３】
また、付随データ生成部４３０は、入口ゲート通過時刻から出口ゲート通過時刻までの間の買い物金額が例えば1万円などの所定金額以上であると判別した場合に、利用者番号等が「お得意様」又は「決済不要顧客」に該当するか否かにかかわらず、駐車料金を例えば５００円を割り引くべき旨の付随データを生成するようにしても良い。なお、このように買い物金額に応じて即座に割引等のサービス提供ができるのは、ＩＣカード２００がクレジットカード一体型ＥＴＣカードの場合である。ＩＣカード２００が分離型ＥＴＣカードである場合には、ＩＣカード２００からは買い物金額が出口駐車場料金処理機４００へ送信されないので、例えば駐車場運営業者に登録したクレジットカードによる買い物金額に応じた割り引きやポイント加点が後日の決済においてなされるようにしても良い。なお、付随データは割引料金に限られない。付随データは、例えば割引率でも良いし、駐車場を例えば３回利用する毎に割引するといった処理をするための駐車場利用回数などを表すデータでも良い。
【００４４】
また、駐車場料金計算部４４０は、道路料金関連データ及び付随データ生成部４３０によって生成された付随データに基づいて駐車場料金を算出する。駐車場料金計算部４４０は、例えば現在時刻（つまり、出口ゲートの通過時刻）と、ＥＴＣ装置１００から取得した入口ゲートの通過時刻とから駐車時間を算出し、その駐車時間と、付随データが表す例えば割引料金とに基づいて駐車場料金を算出する。駐車場料金、利用時間、入出口ゲートの通過年月日及び時刻などの情報を含む駐車場料金関連データ及び割引料金などの付随データは、情報送受信部４１０によってＥＴＣ装置１００へ送信される。
【００４５】
ＥＴＣ装置１００の駐車場関連データ処理部１６２は、無線通信部１１０によって受信された駐車場料金関連データに含まれる駐車場料金などの情報を利用履歴テーブルの各項目に対応させて記憶部１２０に記憶させる（ステップＳ２０４）。また、付随データ処理部１６３は、無線通信部１１０によって受信された付随データに含まれる割引料金などの付随情報を利用履歴テーブルの各項目に対応させて記憶部１２０に記憶させる（ステップＳ２０４）。その後、車両は、開かれたゲート４５０を通過し、駐車場を出る。
【００４６】
図１０は、記憶部１２０に記憶されている利用履歴テーブルの一例を表す図である。「利用番号」は有料道路や駐車場の利用毎に順番に付される番号である。「利用種別」は、各利用番号についての情報が、道路料金に関するものであるか、駐車場料金に関するものであるかを表す。「入場日時」は、道路又は駐車場に入場した日時（入口ゲート通過の日時）を表す。「出場日時」は、道路又は駐車場に出場した日時（出口ゲート通過の日時）を表す。「利用時間」は、入場から出場までの時間を表す。「割引料金」は、駐車場の割引料金を表す。「利用料金」は、有料道路又は駐車場についての割引料金を加味していない利用料金を表す。
【００４７】
駐車場関連データ処理部１６２は、無線通信部１１０によって受信された駐車場料金関連データに含まれる駐車場料金、入出口ゲートの通過年月日及び時刻や、付随データに含まれる割引料金などの情報を、利用履歴テーブルにおける「入場日時」や「割引料金」などの各項目に対応させて追加する。例えば利用履歴テーブルにおける「利用番号」１番及び２番に対応する欄に既に情報が記憶されている場合には、「利用番号」３番に対応する欄に、図１０に示される如く入場日時（０９／５／９  １６：００）などの情報が追加される。ここで、０９／５／９  １６：００は２００９年５月９日１６時００分を意味する。なお、このような追加によって記憶部１２０の記憶容量を超える場合には、古い情報（「利用番号」１番に対応する欄に記憶されている情報）から順に削除して、新たな情報を追加するようにしても良い。
【００４８】
料金計算部１６４は、ユーザーによって入力部１５０に入力された算出指示、又は駐車場道路の料金所に設けられた出口ゲートを通過した際に駐車場関連データ処理部１６２が発した算出指示に応じて総合利用料金を算出する（ステップＳ２０５）。この際、料金計算部１６４は、記憶部１２０に記憶されている利用履歴テーブルを参照する。そして、料金計算部１６４は、最新の駐車場料金（「利用番号」の最も大きい欄の駐車場料金）から、当該駐車場料金に対応する割引料金を減算して総合利用料金を算出する。例えば「利用番号」３番まで記憶されている場合には、「利用番号」３番に対応する「利用料金」欄の駐車場料金（５００円）から「割引料金」欄の割引料金（５００円）を減算し、総合利用料金０円を算出する。料金計算部１６４は、総合利用料金を利用履歴データの一部として記憶部１２０に記憶させると共に、総合利用料金を算出した旨を履歴更新部１６５へ通知する。
【００４９】
履歴更新部１６５は、料金計算部１６４からの総合利用料金を算出した旨の通知に応じて又はユーザーによって入力部１５０に入力された更新指示に応じて、ＩＣカード収容部１３０に挿入されているＩＣカード２００のメモリ２１０に記憶されている利用履歴データを更新する（ステップＳ２０６）。ＩＣカード２００のメモリ２１０にも、図１０に示される如き利用履歴テーブルの形式により「入場日時」などの利用履歴データが記憶されている。履歴更新部１６５は、記憶部１２０に記憶されている利用履歴テーブルに対応させてメモリ２１０内の利用履歴テーブルを更新する。また、履歴更新部１６５は、利用履歴データの一部としてメモリ２１０内に記憶されている総合利用料金についても、料金計算部１６４によって算出された総合利用料金に対応させて更新する。
【００５０】
ＥＴＣ装置１００のユーザーが、これらの利用履歴を確認したい場合には、入力部１５０に利用履歴情報の表示指示を入力することによって、例えばＬＣＤなどのディスプレイである表示部１４０に表示させることができる。表示部１４０は、ユーザーからの利用履歴情報の表示指示に応じて、記憶部１２０に記憶されている利用履歴テーブル又はＩＣカード収容部１３０に挿入されているＩＣカード２００のメモリ２１０に記憶されている利用履歴テーブルの利用履歴情報を取り出してこれを表示する（ステップＳ２０７）。
【００５１】
図１１は、表示部１４０における利用履歴情報の表示例を表す図である。利用履歴情報は、例えばユーザーによって指定されたある特定の利用番号についての駐車場への入出場日時、利用時間、割引料金、利用料金、総合利用料金である。図１１では、利用番号３番についての利用時間（１時間３０分）や総合利用料金（０円）などの利用履歴情報が表示されている。
【００５２】
また、利用履歴通知部１６６は、料金計算部１６４からの総合利用料金を算出した旨の通知に応じて、ＩＣカード収容部１３０に挿入されているＩＣカード２００のメモリ２１０又は記憶部１２０に記憶されている利用履歴データ又は最新の総合利用料金を表すデータを例えば電子メールの形式により、無線通信部１１０をして例えば携帯型電話端末などの通信端末へ送信せしめる（ステップＳ２０８）。
【００５３】
上記したように本実施例によるＥＴＣ装置は、有料道路の利用に際して道路料金処理機との間で暗号化された車両情報やゲート通過時刻などの道路料金関連情報を送受信するといった従来の機能に加え、駐車場の利用に際して駐車場料金処理機との間で利用者番号やゲート通過時刻などの駐車場料金関連情報及び割引料金などの付随情報を送受信する機能を備えている。有料道路及び駐車場の利用料金は、有料道路及び駐車場のゲート通過時に道路料金処理機及び駐車場料金処理機との間で交換された暗号化車両情報や利用者番号、道路料金関連データ及び駐車場料金関連データに基づいてこれらの料金処理機によって算出され、ＥＴＣ装置に挿入されているＩＣカード又は決済合意したクレジットカードから自動的に引き落とされる。それ故、本実施例のＥＴＣ装置によれば、有料道路の利用料金に加えて駐車場の利用料金についても自動収受することができるので、ユーザーの利便性が大幅に向上する。
【００５４】
本実施例によるＥＴＣ装置によれば、例えば駐車時間、カードＩＤ番号や利用者番号（お得意様、自社社員などに対応）、買い物金額などに応じた駐車場料金割引サービスを提供できる。例えばクレジットカード一体型のＥＴＣカードの場合には、ＥＴＣカードのメモリ内に記憶されている買い物金額に応じて駐車場料金割引金額を算出し、駐車場を出る際に駐車場料金を割り引くといったサービスを提供できる。分離型のＥＴＣカードの場合には、ＥＴＣカードと提携している別のクレジットカードによる買い物金額に応じた割引を後日行うようにしても良い。
【００５５】
本実施例によるＥＴＣ装置は、有料道路についての利用履歴情報だけでなく割引料金などの付随情報をも加味した駐車場についての利用履歴情報もＥＴＣ装置内のメモリ及びＥＴＣ装置に挿入されたＩＣカード内のメモリに記憶する。そして、ＥＴＣ装置は、駐車場料金と割引料金とを総合した総合利用料金を算出してこれを表示する機能を有する。これにより、ユーザーは、有料道路についての利用履歴だけでなく駐車場についての利用履歴も参照することができ、更に、割引料金を加味した総合利用料金についても随時確認することができる。
【００５６】
従来、駐車場の入口ゲートを通過する際には、車両を一旦停止させ、車両の窓を開け、窓から身を乗り出して発券機から駐車券を受け取るといった動作をする必要があった。本実施例のＥＴＣ装置によれば、利用者番号、カードＩＤ番号を駐車場料金処理機に送信することにより、その利用者番号、カードＩＤ番号の認証処理を経て自動的に入口ゲートが開かれるので、スムースに入口ゲートを通過することができる。これにより、通行券を受け取るといったわずらわしい動作をする必要もなく、入口ゲートにおける混雑を解消できる。また、従来、駐車場の出口ゲートを通過する際には、車両を一旦停止させ、車両の窓を開け、窓から身を乗り出して料金処理機へ駐車券を挿入すると共に利用時間等に応じた分の駐車場料金を現金で投入するといった動作をする必要があった。本実施例のＥＴＣ装置によれば、出口ゲートが自動的に開かれるので、このようなわずらわしい動作をする必要もなく、出口ゲートにおける混雑も解消できるといった効果も奏する。
【００５７】
なお、上記した実施例は、駐車場料金と割引料金とを総合した料金を総合利用料金とした例であるが、例えば利用履歴テーブルに利用履歴情報として記憶されている各道路料金と各駐車場料金とを総合して総合利用料金を算出するようにしても良い。
【００５８】
この場合、料金計算部１６４は、例えばユーザーによって入力部１５０に入力された算出指示に応じて、記憶部１２０に記憶されている利用履歴テーブルを参照し、その利用履歴情報に基づいて有料道路及び駐車場の総合利用料金を算出する。詳細には、料金計算部１６４は、利用履歴テーブルに利用履歴情報として記憶されている利用番号毎の道路料金と駐車場料金とを加算して加算料金を算出し、その加算料金から、当該駐車場料金にそれぞれ対応する割引料金を減算して総合利用料金を算出する。例えば図１０における利用番号１〜３を算出対象とした場合を例に挙げれば、「利用料金」欄の道路料金（２０００円）と駐車場料金（５００円＋５００円）とを加算して加算料金（３０００円）を算出し、加算料金３０００円から、当該駐車場料金にそれぞれ対応する割引料金（０円＋５００円）を減算し、総合利用料金２５００円を算出する。総合利用料金は利用履歴データの一部として記憶部１２０に記憶される。
【００５９】
このような処理を行うことにより、ＥＴＣカードで支払うべき例えば１か月分の利用料金を総合した総合利用料金を確認することができて便利である。
【００６０】
＜第２の実施例＞
本実施例におけるＥＴＣ装置１００は、駐車場での利用のみならず、ガソリンスタンドやドライブスルー等での利用も可能な機能を備え、更にその利用履歴を例えば携帯電話端末などの通信端末へ送信する機能をも備える。図１２は、本実施例によるＥＴＣ装置１００の構成を表すブロック図である。ＥＴＣ装置１００は、ガソリンスタンド関連データ処理部（以下、ＧＳ関連データ処理部と称する）１６７と、ドライブスルー（ＤＴ）関連データ処理部（以下、ＤＴ関連データ処理部と称する）１６８と、を更に含む。
【００６１】
ＧＳ関連データ処理部１６７は、車両がガソリンスタンドでの給油の際に、給油機（またはこれに付随する料金計算装置：本明細書では料金計算装置も含めて「給油機」と称する）との間で送受信すべき給油料金関連データやカードＩＤ番号などの情報についての処理を行う。ＧＳ関連データ処理部１６７は、例えば給油機からの給油料金関連データを記憶部１２０に記憶させる処理、記憶部１２０に記憶されている利用者番号その他の給油料金関連データやカードＩＤ番号を無線通信部１１０をして給油機へ送信せしめる処理、給油機から発せられた信号の信号種別及びその正当性を判別する処理などの給油料金の収受に関する処理を行う。ＤＴ関連データ処理部１６８は、車両がドライブスルーでの商品購入の際に、例えばドライブスルーに設けられたレジスター機との間で送受信すべき商品購入料金関連データやカードＩＤ番号などの情報についての処理を行うものであり、ＧＳ関連データ処理部１６７と同様の処理を行う。
【００６２】
利用履歴通知部１６６は、記憶部１２０に記憶されている利用履歴データ又は最新の利用料金を、無線通信部１１０をして例えば携帯電話端末などの通信端末へ送信せしめるものである。利用履歴通知部１６６は、例えば通信端末からの通知要求に応じて、又は定期的に、又は給油機やレジスター機からの料金情報の受信に応じて、利用履歴データ又は最新の利用料金を通信端末へ通知する。
【００６３】
図１３は、ＥＴＣ装置１００を搭載した車両５００を給油機６００と共に表す概略構成図である。図１４は、給油機６００の構成を表すブロック図である。図１５は、ガソリンスタンドでの給油時の処理フローを表すフローチャートである。以下、図１３〜１５を参照しつつ、車両がガソリンスタンドで給油する際の処理について説明する。
【００６４】
車両が給油機６００に近づくと、情報送受信部６１０から問合せ信号が発せられる。ＥＴＣ装置１００の無線通信部１１０は、その問合せ信号を受信する（ステップＳ３０１）。ＧＳ関連データ処理部１６７は、無線通信部１１０によって受信されたその問合せ信号が正当なものであるか否かを判別し（ステップＳ３０２）、正当であると判別した場合には、記憶部１２０に記憶されている利用者番号、カードＩＤ番号の少なくともいずれかを無線通信部１１０から情報送受信部６１０へ送信する（ステップＳ３０３）。
【００６５】
給油機６００の信号判別部６２０は、情報送受信部６１０によって受信された利用者番号が、登録者データベース６６０に予め記憶されている利用者番号一覧のうちの１つに一致したと判別した場合に、その車両が正当な登録利用車両であると判別する。なお、信号判別部６２０は、情報送受信部６１０によって受信されたカードＩＤ番号が、登録者データベース６６０に予め記憶されているカードＩＤ番号一覧のうちの１つに一致した場合に、その車両が正当な登録利用車両であると判別するようにしても良い。なお、登録者データベース６６０は、必要に応じて給油機６００に含まず別途に一括管理しても良い。
【００６６】
この場合、信号判別部６２０は、給油部６３０へ給油許可を、付随データ生成部６４０へ付随データの生成指示をそれぞれ発する。これに応じた付随データ生成部６４０は、例えば予め利用者番号とその所有者が「お得意様」であるか否かを示す識別子とを対応付けて記憶しており、ＥＴＣ装置１００から取得した利用者番号からその車両の利用者が「お得意様」に該当すると判別した場合に、給油料金を例えば１％割り引くべき旨の付随データを生成する。
【００６７】
また、店員が給油部６３０により車両への給油を行い、給油料金計算部６５０がその給油量に基づいて給油料金を算出する。給油料金計算部６５０は、例えば給油量と、付随データが表す例えば割引率とに基づいて給油料金を算出する。給油料金、給油の年月日及び時刻などの情報を含む給油料金関連データ及び割引料金、油種、給油量などの付随データは、情報送受信部６１０によってＥＴＣ装置１００へ送信される。
【００６８】
ＥＴＣ装置１００のＧＳ関連データ処理部１６７は、無線通信部１１０によって受信された給油料金関連データに含まれる給油料金などの情報を利用履歴テーブルの各項目に対応させて記憶部１２０に記憶させる（ステップＳ３０４）。また、付随データ処理部１６３は、無線通信部１１０によって受信された付随データに含まれる割引料金、油種、給油量などの付随情報を利用履歴テーブルの各項目に対応させて記憶部１２０に記憶させる（ステップＳ３０４）。その後、車両はガソリンスタンドを立ち去る。
【００６９】
図１６は、記憶部１２０に記憶されている利用履歴テーブルの一例を表す図である。図１０に示される例とほぼ同じであるが、ガソリンスタンドを利用した場合には「利用種別」欄に「ＧＳ」と記憶される。なお、「出場日時」及び「利用時間」については省略される。「割引料金」、「利用料金」については、図１０に示される例と同じである。ＧＳ関連データ処理部１６７は、無線通信部１１０によって受信された給油料金関連データに含まれる給油料金、利用の年月日及び時刻や、付随データに含まれる割引料金、油種、給油量などの情報を、利用履歴テーブルにおける「入場日時」、「割引料金」、「備考」などの各項目に対応させて追加する。
【００７０】
料金計算部１６４は、ユーザーによって入力部１５０に入力された算出指示、又は無線通信部１１０が給油料金関連データを受信した際にＧＳ関連データ処理部１６７が発した算出指示に応じて総合利用料金を算出する（ステップＳ３０５）。この際、料金計算部１６４は、記憶部１２０に記憶されている利用履歴テーブルを参照する。そして、料金計算部１６４は、最新の給油料金（「利用番号」の最も大きい欄の給油料金）から、当該給油料金に対応する割引料金を減算して総合利用料金を算出する。例えば「利用番号」３番まで記憶されている場合には、「利用番号」３番に対応する「利用料金」欄の給油料金（５０００円）から「割引料金」欄の割引料金（５００円）を減算し、総合利用料金４５００円を算出する。料金計算部１６４は、総合利用料金を利用履歴データの一部として記憶部１２０に記憶させると共に、総合利用料金を算出した旨を履歴更新部１６５及び利用履歴通知部１６６へ通知する。
【００７１】
履歴更新部１６５は、料金計算部１６４からの総合利用料金を算出した旨の通知に応じて又はユーザーによって入力部１５０に入力された更新指示に応じて、ＩＣカード収容部１３０に挿入されているＩＣカード２００のメモリ２１０に記憶されている利用履歴データを更新する（ステップＳ３０６）。ＩＣカード２００のメモリ２１０にも、図１６に示される如き利用履歴テーブルの形式により「入場日時」などの利用履歴データが記憶されている。履歴更新部１６５は、記憶部１２０に記憶されている利用履歴テーブルに対応させてメモリ２１０内の利用履歴テーブルを更新する。また、履歴更新部１６５は、利用履歴データの一部としてメモリ２１０内に記憶されている総合利用料金についても、料金計算部１６４によって算出された総合利用料金に対応させて更新する。
【００７２】
ＥＴＣ装置１００のユーザーが、これらの利用履歴を確認したい場合には、入力部１５０に利用履歴情報の表示指示を入力することによって、例えばＬＣＤなどのディスプレイである表示部１４０に表示させることができる。表示部１４０は、ユーザーからの利用履歴情報の表示指示に応じて、記憶部１２０に記憶されている利用履歴テーブル又はＩＣカード収容部１３０に挿入されているＩＣカード２００のメモリ２１０に記憶されている利用履歴テーブルの利用履歴情報を取り出してこれを表示する（ステップＳ３０７）。
【００７３】
また、利用履歴通知部１６６は、料金計算部１６４からの総合利用料金を算出した旨の通知に応じて、ＩＣカード収容部１３０に挿入されているＩＣカード２００のメモリ２１０又は記憶部１２０に記憶されている利用履歴データ又は最新の総合利用料金を表すデータを例えば電子メールの形式により、無線通信部１１０をして例えば携帯型電話端末などの通信端末へ送信せしめる（ステップＳ３０８）。
【００７４】
上記したように本実施例によるＥＴＣ装置は、有料道路や駐車場の利用に際してのみならず、ガソリンスタンドを利用する際にもカードＩＤ番号、利用者番号や給油料金などの給油料金関連情報及び割引料金などの付随情報を送受信する機能を備えている。これらの利用料金は、道路料金処理機、駐車場料金処理機及び給油機との間で交換されたカードＩＤ番号、利用者番号、道路料金関連データ及び駐車場料金関連データに基づいてこれらの料金処理機によって算出され、ＥＴＣ装置に挿入されているＩＣカード又は決済合意したクレジットカードから自動的に引き落とされる。それ故、本実施例のＥＴＣ装置によれば、有料道路や駐車場のみならず、ガソリンスタンドの利用料金の支払いをも統合して自動収受することができるので、ユーザーの利便性が大幅に向上する。なお、ドライブスルーを利用する際には、ＤＴ関連データ処理部１６８によって上記したのと同様の処理がなされる。それ故、ドライブスルーでの商品購入料金についても同様に自動収受することができる。ドライブスルーを利用する場合には、図１６に示される利用履歴テーブルの備考欄には、ドライブスルーに設けられたレジスター機から付随情報として送信された例えば購入商品の個数や単価（例えば購入商品：ハンバーグ購入個数：１個、単価：３００円）などの情報が記録される。
【００７５】
また、本実施例によるＥＴＣ装置は、利用履歴又は最新の利用料金を表すデータを例えば携帯型電話端末などの通信端末へ送信するので、ユーザーが容易に利用履歴や利用料金を知ることができ、非常に便利である。
【００７６】
＜第３の実施例＞
第１の実施例は、出口駐車場料金処理機４００が駐車場料金を算出してそれをＥＴＣ装置１００へ送信する場合の例であるが、本実施例ではＥＴＣ装置１００が駐車場料金を算出する。図１７は、本実施例によるＥＴＣ装置１００の構成を表すブロック図である。ＥＴＣ装置１００は、時計１６９と、駐車場料金対応テーブル１７０とを更に含む。
【００７７】
時計１６９は、例えばＣＰＵである制御部１６０の動作クロックに同期するように時刻をカウントする時計である。時計１６９は、時刻だけでなく年月日についてもカウントする。
【００７８】
駐車場料金対応テーブル１７０は、駐車場の利用料金を算出するためのテーブルであり、例えばＲＡＭやハードディスクなどの記憶媒体に予め記憶したものでも良いし、駐車場入口のゲート３４０を通過する際又は駐車場出口のゲート４５０を通過する際に無線通信部１１０を介して最新の駐車場利用料金に更新されたものを受信及び記憶したものでも良い。図１８は、駐車場料金対応テーブル１７０の一例を表す図である。駐車場料金対応テーブル１７０には、例えば駐車時間が２時間以下であれば駐車場料金が５００円、２〜３時間であれば駐車場料金が１０００円といったように、駐車時間と駐車料金とが対応付けられている。
【００７９】
図１９は、駐車場料金決定フローを表すフローチャートである。以下、図１７〜１９を参照しつつ、駐車場料金の決定処理について説明する。
【００８０】
先ず、車両が駐車場に進入するために駐車場入口のゲート３４０を通過する。その際、駐車場関連データ処理部１６２は、入口駐車場料金処理機３００から無線通信部１１０を介して駐車場料金関連データを受信する（ステップＳ３０１）。
【００８１】
駐車場関連データ処理部１６２は、駐車場料金関連データに含まれる入口ゲートの通過年月日及び時刻（以下、単に入口ゲート通過時刻と称する）を記憶部１２０に記憶されている利用履歴テーブルに記憶させる（ステップＳ３０２）。例えば「利用番号」３番の「入場日時」に０９／５／９  １６：００（２００９年５月９日１６時００分を意味する）を記憶させる。なお、駐車場関連データ処理部１６２は、駐車場料金関連データを受信したときに時計１６９を参照してその時刻及び日時（以下、単に入口ゲート通過時刻と称する）を利用履歴テーブルに記憶させるようにしても良い。この場合には、駐車場料金関連データには入口ゲートの通過年月日及び時刻は含まれていなくても良い。
【００８２】
入口ゲートを通過した車両は、駐車場に入って例えば１時間３０分程停車し、その後、駐車場を出るために出口ゲートに向かう。車両が駐車場出口のゲート４５０を通過する際、駐車場関連データ処理部１６２は、出口駐車場料金処理機３００から無線通信部１１０を介して駐車場料金関連データを受信する（ステップＳ３０３）。
【００８３】
駐車場関連データ処理部１６２は、駐車場料金関連データに含まれる出口ゲートの通過年月日及び時刻（以下、単に出口ゲート通過時刻と称する）を記憶部１２０に記憶されている利用履歴テーブルに記憶させる（ステップＳ３０４）。例えば「利用番号」３番の「出場日時」に０９／５／９  １７：３０（２００９年５月９日１７時３０分を意味する）を記憶させる。なお、駐車場関連データ処理部１６２は、駐車場料金関連データを受信したときに時計１６９を参照してその時刻及び日時（以下、単に出口ゲート通過時刻と称する）を利用履歴テーブルに記憶させるようにしても良い。この場合には、駐車場料金関連データには出口ゲートの通過年月日及び時刻は含まれていなくても良い。
【００８４】
続いて、料金計算部１６４が、利用履歴テーブルに記憶されている「入場日時」と「出場日時」との差分から駐車時間１時間３０分を算出し（ステップＳ３０５）、これを利用履歴テーブルの「利用番号」３番に対応する「利用時間」の欄に１：３０として記憶する。更に、料金計算部１６４は、駐車場料金対応テーブル１７０を参照し、利用時間である１時間３０分に対応する「駐車場料金」欄の５００円を駐車場料金として決定する。最後に料金計算部１６４は、駐車場料金５００円を、利用履歴テーブルの「利用番号」３番に対応する「利用料金」欄に記憶する（ステップＳ３０６）。
【００８５】
また、駐車場関連データ処理部１６２は、当該決定された駐車場料金５００円を表すデータを無線通信部１１０を介して出口駐車場料金処理機４００へ送信する（ステップＳ３０７）。なお、割引料金を表す付随データについては第１の実施例と同様に送受信される。
【００８６】
上記したように本実施例によるＥＴＣ装置１００は、駐車時間と駐車場料金とを対応付けた駐車場料金対応テーブルを予め記憶するか又は駐車場を利用する毎にその駐車場の最新の駐車場料金対応テーブルを取得し、駐車場の利用料金を駐車時間に基づいて自ら算出する。ＥＴＣ装置１００は、駐車場の入口及び出口において駐車場料金処理機から取得したゲートの通過時刻に基づいて駐車時間を算出しても良いし、駐車場の入口及び出口のゲートを通過する際に内蔵の時計を参照して得られた通過時刻に基づいて駐車時間を算出しても良い。後者の場合には、駐車場料金処理機から通過時刻を表すデータを取得せずとも、駐車場料金を算出できる。
【００８７】
また、ＥＴＣ装置１００は、算出した駐車場料金を駐車場料金処理機へ送信するので、当該駐車場料金処理機の管理会社の側でも駐車場料金を把握することができる。駐車場料金は、ＥＴＣ装置に挿入されているＩＣカード又は決済合意したクレジットカードから有料道路の利用料金などと併せて自動的に引き落とされるので、ユーザーの利便性が大幅に向上する。
【符号の説明】
【００８８】
１００  ＥＴＣ装置
１１０  無線通信部
１１１  アンテナ
１２０  記憶部
１３０  ＩＣカード収容部
１３１  カード挿入口
１４０  表示部
１５０  入力部
１６０  制御部
１６１  道路関連データ処理部
１６２  駐車場関連データ処理部
１６３  付随データ処理部
１６４  料金計算部
１６５  履歴更新部
１６６  利用履歴通知部
１６７  ガソリンスタンド（ＧＳ）関連データ処理部
１６８  ドライブスルー（ＤＳ）関連データ処理部
１６９  時計
１７０  駐車場料金対応テーブル
２００  ＩＣカード
２１０  メモリ
２２０  インターフェース部
３００  入口駐車場料金処理機
３１０  情報送受信部
３２０  信号判別部
３３０  駐車場料金関連情報生成部
３４０  ゲート
３５０  登録者データベース
４００  出口駐車場料金処理機
４１０  情報送受信部
４２０  信号判別部
４３０  付随データ生成部
４４０  駐車場料金計算部
４５０  ゲート
４６０  登録者データベース
５００  車両
６００  給油機
６１０  情報送受信部
６２０  信号判別部
６３０  給油部
６４０  付随データ生成部
６５０  給油料金計算部
６６０  登録者データベース
【図１】
2011034427.tif 000003
【図２】
2011034427.tif 000004
【図３】
2011034427.tif 000005
【図４】
2011034427.tif 000006
【図５】
2011034427.tif 000007
【図６】
2011034427.tif 000008
【図７】
2011034427.tif 000009
【図８】
2011034427.tif 000010
【図９】
2011034427.tif 000011
【図１０】
2011034427.tif 000012
【図１１】
2011034427.tif 000013
【図１２】
2011034427.tif 000014
【図１３】
2011034427.tif 000015
【図１４】
2011034427.tif 000016
【図１５】
2011034427.tif 000017
【図１６】
2011034427.tif 000018
【図１７】
2011034427.tif 000019
【図１８】
2011034427.tif 000020
【図１９】
2011034427.tif 000021